(57)【要約】【課題】少量の流体の分布および吸引のための新しい装置を提供し、処理時間を相当短縮し、装置のラインの流体の流れに均等速度および圧力をもたせる。【解決手段】この発明によれば、メインライン２、３から第１対７のライン８、９が分岐し、その各先端から第２対１０、１１のライン１２〜１５が分岐し、その各先端から第３対のライン１６〜１９が分岐し、その先端に小径分布／吸引チューブ３０〜３７が接続され、これが装置１の本体から突出する。【選択図】図１
2005114714.tif 000002
【特許請求の範囲】
【請求項１】
装置（１）の内側に分布されるかまたは吸引によって除去される液体の流れのメインライン（２、３）が設けられている流体の均等分布および吸引のための装置であって、メインライン（２、３）から第１対（７）のライン（８、９）が分岐し、メインライン（３）のメインセンターライン（Ｚ）に対し鏡面状モードで配置され、第１対（７）のライン（８、９）を形成するライン（８、９）の各先端から第２対（１０、１１）のライン（１２、１３、１４、１５）が分岐し、第１対（７）のライン（８、９）のセンターライン（Ｘ、Ｙ）に対し鏡面状モードで配置され、第２対（１０、１１）のラインを形成するライン（１２、１３、１４、１５）の各先端から第３対のライン（１６、１７、１８、１９）が分岐し、第２対（１０、１１）のラインのセンターライン（Ｔ、Ｕ、Ｖ、Ｗ）に対し鏡面状モードで配置され、第３対（１６、１７、１８、１９）のライン（２０、２１、２２、２３、２４、２５、２６、２７）の先端に小径分布／吸引チューブ（３０、３１、３２、３３、３４、３５、３６、３７）が接続され、これが装置（１）の本体から突出していること特徴とする装置。
【請求項２】
第１対（７）のライン（８、９）、第２対（１０、１１）のライン（１２、１３、１４、１５）および第３対（１６、１７、１８、１９）のライン（２０、２１、２２、２３、２４、２５、２６、２７）がアーチ状に配置されていることを特徴とする請求項１に記載の装置。
【請求項３】
ライン（２０、２１、２２、２３、２４、２５、２６、２７）の自由端が装置の本体（１）にフック止めされる小径チューブ（３０、３１、３２、３３、３４、３５、３６、３７）に接続されており、少量の流体をサンプルを保持するディッシュ（５）のハニカムセル（４）に送るようにしたことを特徴とする請求項１に記載の装置。
【請求項４】
ライン（２０、２１、２２、２３、２４、２５、２６、２７）が小径チューブ（３０、３１、３２、３３、３４、３５、３６、３７）に接続され、これが装置（１）の本体に接続され、サンプルを保持するディッシュ（５）のハニカムセル（４）から少量の流体を吸引するようにしたことを特徴とする請求項１に記載の装置。
【請求項５】
小径チューブ（３０、３１、３２、３３、３４、３５、３６、３７）が液体のセンサに接続され、前記小径チューブの末端がサンプルを保持するディッシュ（５）のハニカムセル（４）に含まれる液体の表面と接触したとき、電気信号を生じさせるようにしたことを特徴とする請求項１に記載の装置。
【発明の詳細な説明】
【技術分野】
【０００１】
少量の流体の均等分布および吸引のための装置に流体の供給および吸入のための装置の内側のメインラインが設けられ、メインラインから第１対のラインが分岐し、メインラインのセンターラインに対し鏡面状モードで配置され、第１対のラインを形成するラインの各先端から第２対のラインが分岐し、第１対のラインのセンターラインに対し鏡面状モードで配置され、第２対のラインを形成するラインの各先端から第３対のラインが分岐し、第２対のラインのセンターラインに対し鏡面状モードで配置され、第３対のラインの先端に分布および吸入ニードルが接続され、これが装置の本体から突出する。
【０００２】
コンタクトセンサが装置の各ニードルに接続され、液体との接触があったとき、作用するようにするようにすることが好ましい。
【０００３】
この発明は、少量の流体の均等分布および吸引のための装置をカバーする。
【背景技術】
【０００４】
種々の技術セクタにおいて、たとえば、臨床または診察分析装置セクタにおいて、多数の少量の液体をプレートまたはディッシュのハニカムセルに注入し、それが直接周知の分析装置に導入され、たとえば、血液分析がなされるようにする必要性があることは知られている。このセクタにおいて、たとえば、プレートまたはディッシュのセルに存在する流体を吸引によって除去する必要性があることも知られている。
【０００５】
現在、臨床または診察分析セクタにおいて、少量の液体、たとえば、洗剤、シンナまたは補助流体の分布が分布装置を介してなされ、メインラインが分布されるべき流体のマニホルドとして作用する。
【０００６】
メインチューブを介して、このメインラインに分布されるべき流体が供給され、マニホルドとして作用するチューブによって多数のラインが分岐し、それに小径チューブまたはニードルが接続され、分析されるサンプルを含むプレートまたはディッシュに存在する多数のセルに分布されるべき流体の最終分布がなされる。
【０００７】
知られている分布または吸引装置において、流体の分布／吸引のための多数のラインが分岐するマニホルドとして作用する単一のラインによって分布される流体の速度および圧力に相当の差異があることを認識することができる。
【０００８】
独立した流体分布ラインの変化する速度および圧力によってセルが不規則に充填され、十分に均等に充填されないことがあり、これが不適当で不正確な分析の原因となることがある。
【０００９】
流体の分布の前述した技術的問題が吸引によって流体を除去する知られている処理に認められる。この発明は分布作用に限定されるものではなく、吸引作用にも及ぶ。
【００１０】
したがって、この発明の目的は、少量の流体の分布および吸引のための新しい装置を提案し、処理時間を相当短縮し、装置のラインの流体の流れに均等速度および圧力をもたせることができるようにすることにある。
【００１１】
この装置はたとえばプレートまたはディッシュのハニカムセル内の液体流体の分布レベルおよび圧力および欠如をチェックすることもできるようにせねばならない。
【発明の開示】
【００１２】
この発明によれば、流体分布装置の内側にメインラインがあり、それから第１対のラインが分岐し、これはメインラインの幾何学的センターラインに対し鏡面状モードで配置され、第１対のラインを形成するラインの各先端から第２対のラインが分岐し、第１対を形成するラインのセンターラインに対し鏡面状モードで配置され、第２対のラインを形成するラインの各先端から第３対のラインが分岐し、これが第２対のラインのセンターラインに対し鏡面状モードで配置され、第３対のラインの先端に小径分布チューブが接続され、これが装置の本体から突出するようにすることによって目的が達成される。
【００１３】
共通の幾何学的センターに対し鏡面状モードで配置される一連の対のラインにより、均等長さのすべての流体のラインが得られ、均等流体速度および圧力の迅速分布が得られ、これがすべての最終分布ラインに及ぶ。
【発明を実施するための最良の形態】
【００１４】
以下、この発明の実施例を説明する。
【００１５】
図面を参照すると、分布装置の中央部１が示されており、メイン接続部２から供給ライン３に分布されるべき適量の流体が供給され、少量の流体が特別の装置の医学分析に使用される周知のディッシュ５のハニカムセル４に供給される。
【００１６】
前述したように、ハニカムセル４に向かって流れる流体の分布を説明するが、装置１は吸引によってセル４から流体を除去することに使用することもできる
【００１７】
この場合、流体送りポンプを周知のサクションポンプと交換せねばならない。
【００１８】
供給チューブ３の先端部６がセンターラインＺに対し対称的に配置されている。
【００１９】
ライン６の先端から第１対７のライン８、９がセンターラインＺに対し鏡面状モードで分岐し、アーチをなす。
【００２０】
ライン８、９の先端から対１０、１１がライン１２、１３、１４、１５を構成するアーチに分岐する。
【００２１】
各対１０のライン１２、１３がライン８のセンターラインＸに対し対称的に鏡面状に配置され、対１１のライン１４、１５がライン９のセンターラインＹに対し対称的に鏡面状に配置されている。
【００２２】
ライン１２、１３、１４、１５の先端から最後の対１６、１７、１８、１９がライン２０、２１、２２、２３、２４、２５、２６、２７へのアーチに分岐する。
【００２３】
ライン２０、２１はライン１２のセンターラインＷに対し対称的に鏡面状に配置され、ライン２２、２３はライン１３のセンターラインＶに対し対称的に鏡面状に配置されている。
【００２４】
ライン２４、２５はライン１４のセンターラインＵに対し対称的に鏡面状に配置され、ライン２６、２７はライン１５のセンターラインＴに対し対称的に鏡面状に配置されている。
【００２５】
ライン２０、２１、２２、２３、２４、２５、２６、２７の自由端が小径金属チューブ３０、３１、３２、３３、３４、３５、３６、３７に接続されており、金属チューブはたとえば、装置１の本体にねじ合わされ、少量の流体をサンプル保持プレートまたはディッシュ５のハニカムセル４内に供給する。
【００２６】
前述したように、小径金属チューブ３０〜３７を供給チューブとして使用するか、または装置の内側のラインを重複させることによって流体をハニカムセルから吸引するチューブとして使用することができる。
【００２７】
供給ライン８〜２７のシステムを小径フィーダチューブ３０〜３７に接続し、小径サクションチューブに接続される互いに分離した同一システムのラインを設けることによって小径供給チューブおよび小径吸引チューブを互いに同心に設けることもできる。
【００２８】
特別の利点として、メインフィーダライン３、６は最も大きい直径をもつ。第１対７を形成するライン８、９はライン３よりも小さい直径であり、第２対１０、１１を形成するライン１２、１３、１４、１５はライン８、９に対し小さい直径であり、第３対１６、１７、１８、１９のライン２０、２１、２２、２３、２４、２５、２６、２７の直径はライン１２、１３、１４、１５の直径よりも小さい。
【００２９】
小径チューブ３０、３１、３２、３３、３４、３５、３６、３７は導電率の高い金属で製造され、センサ（図示せず）に電気接続されており、小径チューブ３０、３１、３２、３３、３４、３５、３６、３７が空中にあるとき、またはこれらの小径チューブの先端部がプレートまたはディッシュ５のハニカムセル４内に貯留された液体と接触したとき、それが確認されるようにすることが好ましい。センサの信号を電子コンピュータまたは電子回路に使用し、セルが空であるか、液体が充填されているかを検出することができ、ディッシュまたはプレートのハニカムセルの内側の液体の表面のレベルを決定することもできる。
【図面の簡単な説明】
【００３０】
【図１】この発明実施例の説明図である。
【符号の説明】
【００３１】
１  装置
３、８、９、１２〜１５、２０〜２７  ライン
３０〜３７  チューブ
【図１】
2005114714.tif 000003